(57)【特許請求の範囲】
【請求項１】
回転電機のコイル用の導体線であって、
前記回転電機に備えられる、セミオープン型の複数のスロットを有するステータコア又はロータコアを巻き付け対象とし、
導体素線を複数本集合させてなる導体素線束と、前記導体素線束の周囲を被覆する可撓性の絶縁被覆材と、を備え、
前記絶縁被覆材の径方向内側に前記導体素線どうしが相対移動可能な被覆内隙間を有し、前記導体素線束の延在方向に直交する延在直交平面での前記絶縁被覆材の断面形状が変形可能であり、
前記絶縁被覆材の径方向における所定の基準方向の両側から押圧して前記絶縁被覆材を変形させることで、前記被覆内隙間が解消されて全ての前記導体素線と前記絶縁被覆材とが全体として密集した密集状態となり、
真円状態での前記絶縁被覆材の直径が、互いに隣接するティース間のスロット開口部の幅であるスロット開口幅より大きく、前記密集状態での前記絶縁被覆材の前記基準方向の幅が、前記スロット開口幅以下となる導体線。
【請求項２】
前記延在直交平面での断面において、互いに隣接する前記導体素線どうしを接触させた状態で前記導体素線束に外接する仮想外接円の最小径が、前記絶縁被覆材を真円に変形させた状態での内径である真円内径よりも小さい請求項１に記載の導体線。
【請求項３】
前記仮想外接円の最小径と前記絶縁被覆材の前記真円内径との差が、前記導体素線の直径以上である請求項２に記載の導体線。
【請求項４】
前記絶縁被覆材の内面の周長が、全ての前記導体素線を互いに接触させて一列に配置した状態での前記導体素線束に外接する長円の周長以下である請求項１から３のいずれか一項に記載の導体線。
【請求項５】
前記密集状態での前記絶縁被覆材の前記基準方向の幅が、前記スロット開口幅に合致する請求項１から４のいずれか一項に記載の導体線。
【請求項６】
前記導体素線束と前記絶縁被覆材とが非接着状態とされている請求項１から５のいずれか一項に記載の導体線。
【請求項７】
前記導体素線は、裸線である請求項１から６のいずれか一項に記載の導体線。
【請求項８】
請求項１から７のいずれか一項に記載の導体線を用いて構成されたコイルをスロット内に備える回転電機。
【発明の詳細な説明】
【技術分野】
【０００１】
本発明は、回転電機のコイル用の導体線及び当該導体線を備えた回転電機に関する。
【背景技術】
【０００２】
電動機又は発電機としての回転電機に備えられるステータは、複数のスロットを有するステータコアにコイルが取り付けられて構成される。回転電機に備えられるロータも同様に、複数のスロットを有するロータコアにコイルが取り付けられて構成される場合がある。例えば特開平０９−００９５８８号公報（特許文献１）には、ステータコアの周方向に分散配置された複数のスロットに、断面が円形の導体素線が多数回巻き付けられたコイルを備えたステータが記載されている。すなわち、特許文献１の回転電機は、断面が円形の導体素線が複数本集合して構成される導体線を備えている。
【０００３】
上記のように、断面が円形の導体素線を用いて構成される導体線では、当該導体線がステータに取り付けられる際にスロット内において導体素線間に隙間が生じ易く、コイルの占積率を高めることが難しい。導体素線間の隙間を小さくして占積率を高めるためには、導体素線の径を小さくすることも有効である。しかし、導体素線の径を小さくする場合には、コア（ステータコア又はロータコア）に巻き付ける際に断線しないような工夫が必要となり、また、コアへの巻き付け回数が多くなって巻き付け工程に長い時間を要する等の課題がある。一方、占積率を高めるためには、断面が矩形状の導体素線を用いてコイルを構成することも有効である。しかし、スロットの形状も導体素線の断面形状に対応するほぼ矩形状に限定され、スロット或いはティースの形状を必ずしも最適な形状とすることができないという課題がある。
【０００４】
また、特開２０１１−０９１９４３号公報（特許文献２）には、複数の導線を束ねた導線束の外周に変形可能な絶縁体を設けた導体線を用いてコイルを構成することが記載されている。特許文献２では、導体束の形状（導体線の断面形状）を任意の形状に変化させることができ、導体線間の隙間を小さくして占積率を高めることができると謳われている。しかし、当該特許文献２の図５〜図９を参照すれば、導体線の断面形状を自由に変形可能とするためには、導線束の外周を覆う絶縁体を、比較的高い伸縮性を有する材料を用いて構成する必要があると言える。つまり、導体線を構成する絶縁体の材質次第では、必ずしも占積率を高めることができないという課題がある。
【先行技術文献】
【特許文献】
【０００５】
【特許文献１】特開平０９−００９５８８号公報
【特許文献２】特開２０１１−０９１９４３号公報
【発明の概要】
【発明が解決しようとする課題】
【０００６】
そこで、コアへの巻き付け工程を簡略化できると共に、構成部材の材質やスロット形状にかかわらずコイルの占積率を高めることができる導体線の実現が望まれる。
【課題を解決するための手段】
【０００７】
本発明に係る、回転電機のコイル用の導体線の特徴構成は、前記回転電機に備えられる、セミオープン型の複数のスロットを有するステータコア又はロータコアを巻き付け対象とし、導体素線を複数本集合させてなる導体素線束と、前記導体素線束の周囲を被覆する可撓性の絶縁被覆材と、を備え、前記絶縁被覆材の径方向内側に前記導体素線どうしが相対移動可能な被覆内隙間を有し、前記導体素線束の延在方向に直交する延在直交平面での前記絶縁被覆材の断面形状が変形可能であり、前記絶縁被覆材の径方向における所定の基準方向の両側から押圧して前記絶縁被覆材を変形させることで、前記被覆内隙間が解消されて全ての前記導体素線と前記絶縁被覆材とが全体として密集した密集状態となり、真円状態での前記絶縁被覆材の直径が、互いに隣接するティース間のスロット開口部の幅であるスロット開口幅より大きく、前記密集状態での前記絶縁被覆材の前記基準方向の幅が、前記スロット開口幅以下となる点にある。
【０００８】
ここで、導体素線束の周囲とは、当該導体素線束の延在直交平面での断面の周囲のことである。また、被覆内隙間は、絶縁被覆材の径方向内側で導体素線どうしが相対移動可能となるように絶縁被覆材の内部に形成される隙間であり、互いに密着し合って相対移動不可能な導体素線どうしの間に形成される隙間や互いに密着し合って相対移動不可能な導体素線と絶縁被覆材との間に形成される隙間は、被覆内隙間には含まれない。また、「回転電機」は、モータ（電動機）、ジェネレータ（発電機）、及び必要に応じてモータ及びジェネレータの双方の機能を果たすモータ・ジェネレータのいずれをも含む概念として用いている。また、「セミオープン型のスロット」は、ステータコア又はロータコアの径方向に開口するスロット開口部の幅が、それよりスロット奥側の部分に比べて狭いスロットである。
【０００９】
この特徴構成によれば、絶縁被覆材が可撓性を有すると共に絶縁被覆材の径方向内側に被覆内隙間が存在するので、この被覆内隙間の部分において導体素線どうしが相対移動可能となる。よって、絶縁被覆材が高い伸縮性を有していない場合であっても、延在直交平面での導体線の断面形状を比較的自由に変形させることができる。そのため、導体線を回転電機のコイル用に用いてコアに取り付ける際に、スロット開口部の幅によらずにスロット内への導体線の挿入を容易に行なうことができる。特に、導体素線と絶縁被覆材とが全体として密集した密集状態でスロット開口部の幅方向と絶縁被覆材に対する押圧方向（基準方向）とを合致させることで、スロット開口部に対して導体線を通過可能とすることができる。よって、セミオープン型のスロットであっても、そのスロット内に導体線を挿入可能とすることができる。また、複数本の導体素線を束ねて導体線を構成しているので、細い導体素線を用いて占積率を高めつつコアへの巻き付け回数を少なく抑えることができ、導体線の巻き付け工程を効率化できる。更に、導体素線束が絶縁被覆材により被覆されているので、スロット内への挿入の際に導体素線が損傷することを抑制できると共に絶縁性を容易に確保できる。そして、スロット内への挿入後は、隣り合う導体線が互いに接するように配置することで複数本の導体線どうしの隙間を小さく抑えることができ、更にはスロット形状に合わせて導体線を変形させ、導体線とスロット内壁面との隙間も小さく抑えることができる。よって、占積率を高めることができる。従って、この特徴構成によれば、コアへの巻き付け工程を簡略化できると共に、構成部材（絶縁被覆材）の材質やスロット形状にかかわらずコイルの占積率を高めることが可能な導体線が実現できる。
【００１０】
ここで、前記延在直交平面での断面において、互いに隣接する前記導体素線どうしを接触させた状態で前記導体素線束に外接する仮想外接円の最小径が、前記絶縁被覆材を真円に変形させた状態での内径である真円内径よりも小さいと好適である。
【００１１】
この構成によれば、互いに隣接する導体素線どうしを接触させて中央部に密集させた状態での仮想的な外周面と絶縁被覆材を真円に変形させた状態での内面との間に、所定の隙間空間が形成される。よって、被覆内隙間を適切に形成することができる。
【００１２】
また、前記仮想外接円の最小径と前記絶縁被覆材の前記真円内径との差が、前記導体素線の直径以上であると好適である。
【００１３】
この構成によれば、少なくとも導体素線１本分の隙間が確保され、有意な大きさを有する被覆内隙間を、適切かつ確実に形成することができる。
【００１４】
また、前記絶縁被覆材の内面の周長が、全ての前記導体素線を互いに接触させて一列に配置した状態での前記導体素線束に外接する長円の周長以下であると好適である。
【００１５】
なお、「長円」とは、互いに対向する２つの平行な直線と互いに対向する２つの円弧とを組み合わせて形成される形状である。
【００１６】
導体素線束に外接する外接曲線の周長は、全ての導体素線を互いに接触させて一列に配置した状態で最も長くなる。よって、絶縁被覆材の内面の周長をそのような外接曲線の周長と同じにすれば、導体線の変形自由度を最大限に確保することができる。また、絶縁被覆材の内面の周長をこのような導体素線束の外接曲線の周長より長くすることは、無駄に被覆内隙間が大きくなるだけであって適切ではない。そこで、絶縁被覆材の内面の周長を、このような導体素線束の外接曲線の周長以下の範囲内で設定することにより、絶縁被覆材の周長を適切に設定することができる。
【００２０】
また、前記密集状態での前記絶縁被覆材の前記基準方向の幅が、前記スロット開口幅に合致すると好適である。
【００２１】
なお、「合致する」とは、比較対象となる事象が実質的に同一であることを表す概念であり、製造上許容され得る誤差による差異を有する状態を含む。
【００２２】
この構成によれば、被覆内隙間の大きさが必要最小限の大きさとなる。よって、セミオープン型のスロット内に導体線を挿入可能としつつ、必要以上に被覆内隙間が拡大されて占積率が低下することを抑制できる。
【００２３】
また、前記導体素線束と前記絶縁被覆材とが非接着状態とされていると好適である。
【００２４】
なお、「接着状態」とは、互いに接する２つの物体が力学的に固着している状態である。従って、「非接着状態」とは、２つの物体が互いに接していない状態、又は力学的に固着することなく接している状態である。
【００２５】
この構成によれば、導体素線束と絶縁被覆材との間にも被覆内隙間を形成することができる。よって、導体素線どうしだけでなく、導体素線と絶縁被覆材との間でも相対移動が可能となり、延在直交平面での導体線の断面形状を更に自由に変形させることができる。
【００２６】
また、前記導体素線は、裸線であると好適である。
【００２７】
なお、「裸線」とは、表面が絶縁体により覆われていないむき出しの導体素線のことである。従って、樹脂等の電気的絶縁材料による被覆や被膜が表面に設けられた導体素線は、裸線には含まれない。一方、表面に酸化皮膜が形成された導体素線は、裸線に含まれる。
【００２８】
この構成によれば、導体素線の表面に絶縁体の被膜や被覆等が設けられている場合に比べて、導体線全体の断面積に占める導体素線の導体部分の断面積の和を大きく確保することが容易になる。従って、スロット内での導体部分の密度を高くすることができ、コイルの占積率を高めることが容易になる。
【００２９】
本発明に係る回転電機の特徴構成は、これまで説明してきた各種構成の導体線を用いて構成されたコイルをスロット内に備える点にある。
【００３０】
この特徴構成によれば、これまで説明してきた各種構成の導体線を用いて、コアへの導体線の巻き付け工程を簡略化できると共に、導体線の構成部材（絶縁被覆材）の材質やスロット形状にかかわらずコイルの占積率を高めることが可能な回転電機を実現できる。
【図面の簡単な説明】
【００３１】
【図１】実施形態に係る回転電機の斜視図である。
【図２】ステータの部分拡大断面図である。
【図３】導体線の構造を示す斜視図である。
【図４】導体線の構造を示す断面図である。
【図５】被覆内隙間を説明するための導体線の仮想断面図である。
【図６】被覆内隙間を説明するための導体線の仮想断面図である。
【図７】導体線の製造工程を説明する図である。
【図８】ステータの製造工程を説明する図である。
【発明を実施するための形態】
【００３２】
本発明に係る導体線及びその導体線を備えた回転電機の実施形態について、図面を参照して説明する。ここでは、本発明に係る導体線を、インナーロータ型の回転電機１００のコイル３に適用した場合を例として説明する。コイル３用の導体線４は、図３に示すように、導体素線４１を複数本集合させてなる導体素線束４２と、導体素線束４２の周囲を被覆する可撓性の絶縁被覆材４６とを備えている。すなわち導体線４は、導体素線４１を複数本集合させてなる導体素線束４２の周囲を、可撓性を有する絶縁被覆材４６により被覆した構造を有している。本実施形態に係る導体線４は、その内部構造に特徴を有しており、回転電機１００はそのような導体線４を用いた点に特徴を有している。以下、回転電機１００の全体構成、導体線４の構成、ステータコア２に対する導体線４の配置構成、回転電機１００の製造方法の順に詳細に説明する。
【００３３】
なお、以下の説明では、特に断らない限り、「軸方向Ｌ」、「周方向Ｃ」、「径方向Ｒ」は、後述するステータコア２の円筒状のコア基準面２１（例えばステータコア２の内周面）の軸心を基準として定義している。
【００３４】
１．回転電機の全体構成
本実施形態に係る回転電機１００の全体構成について、図面を参照して説明する。図１に示すように、回転電機１００は、ステータ１と、このステータ１の径方向Ｒの内側に回転可能に設けられたロータ６とを備えている。ステータ１は、ステータコア２と、このステータコア２に取り付けられたコイル３とを備え、コイル３は導体線４をステータコア２に巻き付けて構成されている。なお、図１では、煩雑さを避けるために、ステータコア２から軸方向Ｌに突出するコイル３の部分であるコイルエンド部については、一対のスロット２２から突出する部分のみを示し、他の部分の図示を省略している。図１では、残りのスロット２２の軸方向Ｌの端部には、コイル３を構成する複数本の導体線４の断面が表れている。また、図１では、ロータ６の一部を透視的に描いている。
【００３５】
ステータコア２は、磁性材料を用いて形成されている。ステータコア２は、例えば、円環板状の電磁鋼板を複数枚積層した積層構造体とし、或いは磁性材料の粉体を加圧成形してなる圧粉材を主な構成要素として形成することができる。ステータコア２は、コイル３を巻き付け可能とすべく、複数のスロット２２を有する。ここでは、スロット２２は、ステータコア２の円筒状のコア基準面２１の軸方向Ｌに延びると共に、当該コア基準面２１の周方向Ｃに複数分散配置されている。また、複数のスロット２２は、ステータコア２の軸心から放射状に径方向Ｒに延びるように形成されている。なお、「円筒状のコア基準面２１」とは、スロット２２の配置や構成に関して基準となる仮想的な面である。本実施形態では、図１に示すように、隣接する２つのスロット２２の間に形成される複数のティース２３の径方向Ｒの内側の端面を含む仮想的な円筒状の面であるコア内周面を、コア基準面２１としている。なお、円筒状のコア内周面と同心であって、軸方向Ｌ視（軸方向Ｌに沿って見た場合）における断面形状が当該コア内周面の軸方向Ｌ視における断面形状と相似の関係にある円筒状の面（仮想面を含む）も、本発明における「円筒状のコア基準面２１」になり得る。本実施形態では、図１に示すように、ステータコア２は円筒状に形成されているため、例えば、ステータコア２の外周面を「円筒状のコア基準面２１」とすることもできる。
【００３６】
ステータコア２は、周方向Ｃに沿って一定間隔で分散配置された複数のスロット２２を有している。そして、これら複数のスロット２２は互いに同じ形状とされている。また、ステータコア２は、隣接する２つのスロット２２の間に形成される複数のティース２３を有する。本実施形態では、スロット２２は、軸方向Ｌ及び径方向Ｒに延びると共に周方向Ｃに所定の幅を有する溝状に形成されている。本実施形態では、図２に示すように、各ティース２３の周方向Ｃを向く２つの側面２３ａが互いに平行な平行ティースとしているため、各スロット２２は、周方向Ｃの幅が径方向Ｒの外側へ向かうに従って次第に広くなるように形成されている。従って、各スロット２２の内壁面２２ａは、周方向Ｃに互いに対向すると共に径方向Ｒの外側へ向かうに従って互いの間隔が広くなるように形成された２つの平面と、当該２つの平面よりも径方向Ｒの外側に形成されて軸方向Ｌに延びる断面円弧状の面とを有している。また、各スロット２２は径方向Ｒの内側に開口（ステータコア２の内周面に開口）する径方向開口部２２ｂを有すると共にステータコア２の軸方向Ｌの両側（軸方向両端面）に開口する軸方向開口部２２ｃを有するように形成されている。スロット２２の内壁面２２ａには、スロット絶縁部２４が設けられている。本実施形態では、内壁面２２ａの全体に絶縁粉体塗装が施されており、この絶縁粉体塗装の塗膜によってスロット絶縁部２４が形成されている。
【００３７】
ステータコア２における周方向Ｃに互いに隣接する２つのスロット２２間に、各ティース２３が形成されている。本実施形態では、各ティース２３は、当該ティース２３における周方向Ｃを向く２つの側面２３ａ（以下、単に「ティース側面２３ａ」という。）が互いに平行となるように形成されている。すなわち、本実施形態におけるステータコア２は、平行ティースを備えている。ここでは、各ティース２３の先端部には、ティース側面２３ａの他の部分に対して周方向Ｃに突出する周方向突出部２３ｂが形成されている。これにより、２つのティース側面２３ａにおける周方向突出部２３ｂを形成するための段差部を除いた大部分が、互いに平行となるように形成されている。図２から明らかなように、これらの２つのティース側面２３ａは、径方向Ｒに平行に配置されている。
【００３８】
上記のように、各ティース２３が先端部に周方向突出部２３ｂを備えることにより、各スロット２２の径方向開口部２２ｂの開口幅Ｗ２は、それよりスロット２２の奥側（径方向Ｒの外側）の部分に比べて狭くなっている。ここで、径方向開口部２２ｂの開口幅Ｗ２は、径方向開口部２２ｂにおける周方向Ｃの幅、すなわち径方向Ｒに直交する方向の幅である。この開口幅Ｗ２は、図２の断面に示されるように、ステータ１の軸方向Ｌに直交する面内における径方向開口部２２ｂの幅である。そして、各スロット２２は、径方向開口部２２ｂの開口幅Ｗ２が、コイル３が配置される部分における周方向Ｃの幅よりも狭くなっている。このように、本実施形態に係るステータコア２は、セミオープン型のスロット２２を有する。本実施形態では、径方向開口部２２ｂが本発明における「スロット開口部」に相当し、当該径方向開口部２２ｂの開口幅Ｗ２が本発明における「スロット開口幅」に相当する。
【００３９】
本実施形態では、回転電機１００は三相交流（Ｕ相、Ｖ相、Ｗ相）で駆動される三相交流電動機又は三相交流発電機である。従って、ステータ１のコイル３は、三相（Ｕ相、Ｖ相、Ｗ相）のそれぞれに対応して、Ｕ相コイル、Ｖ相コイル、Ｗ相コイルに分けられている。そのため、ステータコア２には、Ｕ相用、Ｖ相用及びＷ相用のスロット２２が、周方向Ｃに沿って繰り返し現れるように配置されている。本例では、ステータコア２には、毎極毎相あたりのスロット数が「２」となるように、Ｕ相コイルが挿入される２つのＵ相用スロットと、Ｖ相コイルが挿入される２つのＶ相用スロットと、Ｗ相コイルが挿入される２つのＷ相用スロットとが、記載の順に周方向Ｃに沿って繰り返し現れるように配置されている。なお、毎極毎相あたりのスロット数は適宜変更可能であり、例えば「１」や「３」等とすることができる。また、回転電機１００を駆動する交流電源の相数も適宜変更可能であり、例えば「１」、「２」、「４」等とすることができる。
【００４０】
コイル３は、導体線４をステータコア２に巻き付けて構成される。この際のステータコア２への導体線４の巻き方としては、公知の各種方法を用いることができる。例えば、重ね巻及び波巻のいずれか一方と集中巻及び分布巻のいずれか一方との組み合わせにより導体線４をステータコア２に巻き付けて、コイル３を構成することができる。
【００４１】
また、電機子としてのステータ１（ステータコア２）の径方向Ｒの内側には、永久磁石や電磁石（図示せず）を備えた界磁としてのロータ６が、ステータ１に対して相対回転可能に配置されている。そして、ステータ１から発生する回転磁界によりロータ６が回転する。すなわち、本実施形態に係る回転電機１００は、インナーロータ型で回転界磁型の回転電機となっている。
【００４２】
２．導体線の構成
次に、コイル３を構成する導体線４について説明する。導体線４は、各相のコイル３を構成する導体であり、この導体線４をステータコア２に巻き付けることにより、コイル３が構成される。図３に示すように、この導体線４は、導体素線４１を複数本集合させてなる導体素線束４２と、当該導体素線束４２の周囲を被覆する可撓性の絶縁被覆材４６とを有する。
【００４３】
導体素線４１は、例えば銅やアルミニウム等により構成された線状の導体である。図４に示すように、本実施形態では、各導体素線４１は、延在方向Ａに直交する平面である延在直交平面Ｐ（図３を参照）での断面形状が円形状であり、比較的小径のものが用いられる。例えば、直径（素線径Ｄ３）が０．２ｍｍ以下の導体素線４１が好適に用いられる。また、本実施形態では、導体素線４１として、裸線を用いている。すなわち、この裸線でなる導体素線４１は、銅やアルミニウム等の導体の表面が絶縁体によって覆われておらず、導体表面がむき出しになっている。ところで、導体の表面が酸化してできる酸化皮膜は弱い電気的絶縁性を有する場合があるが、このような酸化皮膜はここでいう絶縁体には含まれない。従って、導体の表面に酸化皮膜が形成されたものも、この裸線でなる導体素線４１に含まれる。なお、導体素線４１の表面に、樹脂（例えばポリアミドイミド樹脂やポリイミド樹脂等）等の電気的絶縁材料からなる絶縁皮膜が形成されていても好適である。この絶縁皮膜は、後述する絶縁被覆材４６とは異なり、各導体素線４１の表面を覆う皮膜として形成される。
【００４４】
そして、複数本の導体素線４１が集合して導体素線束４２が構成される。導体素線束４２を構成する導体素線４１の本数は、最終的な導体線４の太さ（断面積）と、各導体素線４１の太さ（断面積）及び形状とによって決定される。本実施形態では、図２に示すように、各スロット２２内の空間を６本の導体線４によって満たすように、各導体線４の太さ（断面積）が設定されており、それに合わせて導体素線束４２の太さ（断面積）、並びに導体素線４１の本数及び太さ（断面積）等が設定されている。図３に示すように、本実施形態では、複数本の導体素線４１を撚って束ねることにより１本の導体素線束４２が構成されている。
【００４５】
絶縁被覆材４６は、可撓性を有する電気的絶縁部材であり、導体素線束４２の周囲を被覆するように設けられている。ここで、導体素線束４２の周囲とは、延在直交平面Ｐでの導体素線束４２の断面の周囲（外周）のことであり、導体素線束４２の延在方向Ａの端部は含まれない。すなわち、絶縁被覆材４６は、導体素線束４２の周囲の全周を覆うと共に、導体素線束４２の延在方向Ａの端部に設けられた接続部を除いて延在方向Ａに沿った全域を覆うように設けられている。ここで、接続部は、１つの導体線４を他の導体線４又は他の導体に電気的に接続するための部分である。なお、導体素線束４２の延在方向Ａは、導体線４の延在方向と等しいため、以下では、導体線４の延在方向も同じ符号「Ａ」で表す。
【００４６】
絶縁被覆材４６としては、可撓性を有すると共に電気的絶縁性を有する材質が用いられ、例えば、フッ素系樹脂、エポキシ系樹脂、ポリフェニレンスルファイド等の各種合成樹脂が用いられる。ここで、「可撓性」とは、曲げたり撓ませたりすることができる性質のことである。また、本実施形態に係る絶縁被覆材４６は、導体線４を曲げたり撓ませたりしてステータコア２に巻き付けるために必要十分な伸縮性を有しておれば良く、伸縮性はあまり高くなくても良い。ここで、「伸縮性」とは、伸びたり縮んだりすることができる性質のことである。ここでは特に、絶縁被覆材４６の径方向における伸縮性は特に要求されない。例えば、外力が作用していない状態での真円状態における周長を基準とする伸長後の周長が１３０％以下、その中でも１２０％以下、更には１１０％以下に抑えられるような材料を用いて、絶縁被覆材４６を構成することができる。このような絶縁被覆材４６は、本実施形態では、導体素線束４２の周囲を包む可撓性のシート状材料又は筒状材料によって構成されている。
【００４７】
絶縁被覆材４６の径方向内側（絶縁被覆材４６の内部）に配置される導体素線４１の密集度は、導体素線束４２の径方向内側領域に比べて径方向外側領域の方が低くなる傾向がある。ここでは、導体素線束４２を、導体素線４１の密集度に応じて２層に分けて考える。図４に示すように、これらの２層には、絶縁被覆材４６の中央部に位置する第一集合層４３と、第一集合層４３の周囲に位置する第二集合層４４とが含まれる。
【００４８】
第一集合層４３では、複数の導体素線４１は、互いに密着し合って高い密集度で集合している。第一集合層４３に含まれる複数の導体素線４１は、このように互いに密着し合うことで、大きな外力が作用しない限り互いに相対移動しにくくなっている。複数の導体素線４１は、それぞれの導体線４の径方向及び周方向に互いに相対移動しにくくなっている。ここで、本実施形態では、導体素線４１として、延在直交平面Ｐでの断面形状が円形状のものを用いている。このため、導体素線束４２の第一集合層４３を構成する複数の導体素線４１どうしの間には、線間隙間ｇが形成される。線間隙間ｇは、それぞれ独立して、その周囲が互いに密接する複数（例えば３本）の導体素線４１の外表面によって囲まれて軸方向Ｌに延びるように形成される。
【００４９】
第二集合層４４では、複数の導体素線４１は、ある程度は密集しているものの完全には互いに密着し合うことなく第一集合層４３よりも低い密集度で集合している。導体素線束４２の第二集合層４４を構成する複数の導体素線４１どうしの間には、線間隙間ｇとは異なる被覆内隙間Ｇが形成される。このような被覆内隙間Ｇは、軸方向Ｌに延びる比較的大きい隙間として形成される。被覆内隙間Ｇは、第一集合層４３における線間隙間ｇに相当する隙間が、互いに所定間隔を空けて隣接する導体素線４１の間を介して互いにつながったものとして形成される。また、本実施形態では、導体素線束４２と絶縁被覆材４６とが完全には接着されておらず、非接着状態とされている。そのため、導体素線４１どうしの間だけでなく、導体素線４１と絶縁被覆材４６との間にも被覆内隙間Ｇが形成される。第二集合層４４に含まれる複数の導体素線４１は、被覆内隙間Ｇを介して互いに離間して配置されることで、大きな外力が作用しなくても容易に、互いに相対移動可能となっている。複数の導体素線４１は、それぞれの導体線４の径方向及び周方向の少なくとも一方に、互いに相対移動可能となっている。
【００５０】
ここで、延在直交平面Ｐでの断面において、互いに隣接する導体素線４１どうしを接触させた状態で導体素線束４２に外接する仮想外接円ＣＣを想定する。図４に示すように、導体線４の通常状態では、仮想外接円ＣＣの直径（外接円径Ｄ１）は絶縁被覆材４６の真円状態での内径（真円内径Ｄ２）に合致する。すなわち、「Ｄ１＝Ｄ２」の関係が成立する。一方、本実施形態に係る導体線４は絶縁被覆材４６の径方向内側に被覆内隙間Ｇを有しており、第二集合層４４に含まれる複数の導体素線４１は互いに相対移動してその全体が中央部に密集することも可能である（図５を参照）。この場合、仮想外接円ＣＣの外接円径Ｄ１は最小（最小外接円径Ｄ１ｎ）となる。延在直交平面Ｐでの断面における、仮想外接円ＣＣの最小外接円径Ｄ１ｎと絶縁被覆材４６の真円内径Ｄ２とを比較すると、図５から明らかなように、仮想外接円ＣＣの最小外接円径Ｄ１ｎは絶縁被覆材４６の真円内径Ｄ２よりも小さい。すなわち、「Ｄ１ｎ＜Ｄ２」の関係が成立する。
【００５１】
本実施形態では、仮想外接円ＣＣの最小外接円径Ｄ１ｎと絶縁被覆材４６の真円内径Ｄ２との差が、導体素線４１の素線径Ｄ３以上とされている。すなわち、「Ｄ２−Ｄ１ｎ≧Ｄ３」の関係が成立するように設定されている。図５の例では、仮想外接円ＣＣの最小外接円半径（Ｄ１ｎ／２）と絶縁被覆材４６の真円半径（Ｄ２／２）との差が、導体素線４１の素線径Ｄ３に合致している。従って本例では、仮想外接円ＣＣの最小外接円径Ｄ１ｎと絶縁被覆材４６の真円内径Ｄ２との差が、導体素線４１の素線径Ｄ３の２倍程度とされている。このように、仮想外接円ＣＣの最小外接円径Ｄ１ｎを、絶縁被覆材４６の真円内径Ｄ２よりも導体素線４１の素線径Ｄ３分を超えて小さくすることで、有意な大きさを有する被覆内隙間Ｇを適切かつ確実に形成することができる。なお、延在直交平面Ｐでの断面における、絶縁被覆材４６内の断面積に対する被覆内隙間Ｇの断面積の割合（隙間割合）は、例えば５％〜３５％、その中でも１５％〜３０％等とすることができる。
【００５２】
なお、絶縁被覆材４６の内面４６ａの周長は、図６に示すように全ての導体素線４１を互いに接触させて一列に配置した状態での導体素線束４２に外接する長円（外接長円）Ｅの周長以下とするのが好適である。外接長円Ｅの周長は、全ての導体素線４１を互いに接触させて一列に配置した状態で最も長くなる。よって、絶縁被覆材４６の内面４６ａの周長をそのような外接長円Ｅの周長と同じにすれば、導体線４の変形自由度を最大限に確保することができる。また、絶縁被覆材４６の内面４６ａの周長をこのような導体素線束４２の外接長円Ｅの周長より長くすることは、無駄に被覆内隙間Ｇが大きくなるだけであって適切ではない。そこで、絶縁被覆材４６の内面４６ａの周長を、このような導体素線束４２の外接長円Ｅの周長以下の範囲内で設定することにより、絶縁被覆材４６の周長を適切に設定することができる。また、被覆内隙間Ｇの大きさを適切に設定することができ、上記の隙間割合を所望の範囲内に収めることができる。
【００５３】
以上のように、本実施形態に係る導体線４では、絶縁被覆材４６の径方向内側に被覆内隙間Ｇが存在するので、この被覆内隙間Ｇの部分において導体素線４１どうしが導体線４の径方向及び周方向の少なくとも一方に相対移動可能となっている。特に、絶縁被覆材４６が真円状態である場合には、被覆内隙間Ｇが相対的に大きく、絶縁被覆材４６の中で導体素線４１どうしの相対移動が容易である。これに加えて、絶縁被覆材４６は可撓性を有しているため、当該絶縁被覆材４６自体は容易に変形可能となっている。これにより、導体線４（導体素線束４２及び絶縁被覆材４６）は、延在直交平面Ｐでの断面形状を比較的自由に変形可能な構成となっている（図８を参照）。すなわち、絶縁被覆材４６の変形に追従して、その内部の被覆内隙間Ｇの部分において導体素線４１どうしが相対移動することで、導体線４の断面形状を容易に変形可能である。
【００５４】
なお、本実施形態では、延在直交平面Ｐでの導体線４の断面形状を真円状とした状態での外径（真円外径Ｄ４）は、各スロット２２の径方向開口部２２ｂの開口幅Ｗ２よりも大きく設定されている。このように、真円外径Ｄ４が径方向開口部２２ｂの開口幅Ｗ２よりも大きい導体線４を用いて、それをステータコア２へ巻き付けるので、ステータコア２への導体線４の巻き付け回数を少なく抑え、巻き付け工程を簡略化及び効率化することが可能となっている。
【００５５】
３．ステータコアに対する導体線の配置構成
次に、本実施形態に係る導体線４のステータコア２に対する配置構成について説明する。図２に示すように、ステータコア２が有する複数のスロット２２のそれぞれの中には、複数本（本例では６本）の導体線４が配置され、当該複数本の導体線４の内の隣り合う導体線４が互いに接するように配置されている。本実施形態では、各スロット２２内の複数本の導体線４の全部が、周方向Ｃの同じ位置において径方向Ｒに沿って一列に並ぶように配置されている。従って、このステータ１は、導体線４が径方向Ｒに複数本配列された複数層巻構造（本例では６層巻構造）とされている。各導体線４は、各スロット２２内において、当該スロット２２に沿って軸方向Ｌに平行な方向を延在方向Ａとして直線状に配置されている。
【００５６】
ここで、各スロット２２内に配置された導体線４の本数は、各スロット２２内に配置される部分のみに着目して数える。本実施形態では、ステータコア２から取り外した状態で１本につながっている導体線４を同じスロット２２に６回巻き付けることにより、各スロット２２内に６本の導体線４が配置された構成としている。なお、ステータコア２から取り外した状態で２本の導体線４を同じスロット２２に３回ずつ巻き付け、或いはステータコア２から取り外した状態で３本の導体線４を同じスロット２２に２回ずつ巻き付けることにより、各スロット２２内に６本の導体線４が配置された構成としても好適である。また、各スロット２２内の６本の導体線４が、ステータコア２から取り外した状態でも６本独立している構成としても好適である。いずれにしても、ステータコア２が有する複数のスロット２２のそれぞれの中に、複数本（本例では６本）の導体線４が配置されるように導体線４をステータコア２に巻き付けることにより、コイル３が構成される。
【００５７】
上記のように、導体線４は、延在直交平面Ｐでの断面形状を変形させることが容易な構成となっている。従って、各スロット２２内において、当該スロット２２の形状に合わせて導体線４を変形させ、複数本の導体線４どうしの隙間及び導体線４とスロット２２の内壁面２２ａとの隙間を小さく抑え、コイル３の占積率を高めることができる。このように隙間が小さい状態を実現するため、各スロット２２内において、隣り合う導体線４どうしが互いに接した状態となっている。より詳しくは、図２に示すように、複数本の導体線４のそれぞれが、隣接する他の導体線４の接触面に沿った形状の接触面を有し、当該接触面において互いに面接触で接触している。また、本実施形態では、各スロット２２内に配置された複数本の導体線４の全てが、スロット２２の内壁面２２ａに沿った形状の部分を有し、当該部分において内壁面２２ａに面接触で接触している。すなわち、各導体線４は、内壁面２２ａに平行であって当該内壁面２２ａに面接触で接触する接触面を有する。
【００５８】
上記のような導体線４の接触面は、スロット２２内において、複数の導体線４のそれぞれが、内壁面２２ａ又は他の導体線４に押し付けられて変形することにより形成されている。本実施形態では、各スロット２２内において、複数本の導体線４が、径方向開口部２２ｂ側から押圧された状態での形状を保って配置されている。すなわち、複数本の導体線４は、これらに外力が全く作用していない自然状態に比べて変形した状態となっている。
【００５９】
また、各スロット２２内の空間を複数本（本例では６本）の導体線４によって満たすように、各導体線４の太さ（延在直交平面Ｐにおける断面積）が設定されている。従って、複数本の導体線４がスロット２２内に収容された状態では、図２に示すように、各導体線４が互いに接触して或いはスロット２２の内壁面２２ａと接触して変形し、複数本の導体線４どうしの隙間及び導体線４とスロット２２の内壁面２２ａとの隙間が非常に小さい状態となる。この状態では、複数本の導体線４の断面形状を合わせた形状は、スロット２２の軸方向Ｌに直交する断面の形状に適合している。
【００６０】
本実施形態では、各スロット２２の内壁面２２ａは、互いに平行でなく対向する２つの平面や軸方向Ｌに延びる断面円弧状の面を有している。このようなスロット２２に、断面形状が固定された比較的太い線状導体を配置すると、当該線状導体とスロット２２の内壁面２２ａとの間の隙間が大きくなり易い。しかし、本実施形態の構成によれば、各導体線４の断面形状がスロット２２の内壁面２２ａの形状に追従して変形することにより、内壁面２２ａとの隙間を小さくすることが容易になっている。このように各導体線４の断面形状が変形することによって、隣接する導体線４どうしが密着し、或いは導体線４と内壁面２２ａとが密着して隙間が小さくなる。この際、各導体線４の断面形状が内壁面２２ａの形状に追従して変形することにより、或いは、断面形状が変形容易な導体線４どうしが互いに押圧されることにより、複数本の導体線４のそれぞれの断面形状は様々に変形する。このため、同じスロット２２の中に配置された複数本の導体線４は、断面形状がそれぞれ異なるものとなり得る。
【００６１】
上記のように隙間が少ない状態で複数本の導体線４がスロット２２内に収容されるためには、各スロット２２内において、複数本の導体線４がスロット２２の径方向開口部２２ｂ側から押圧された状態での形状を保っていると好適である。本実施形態では、径方向開口部２２ｂからの導体線４の飛び出しを抑えるために、スロット２２の径方向開口部２２ｂに、当該径方向開口部２２ｂを塞ぐための閉塞部材２５が配置されている。このような部材は、いわゆるウェッジと呼ばれるものである。この閉塞部材２５は、ティース２３の先端部に形成された周方向突出部２３ｂの径方向Ｒの外側の面に当接することにより、導体線４を径方向Ｒの内側から支持する。このため、閉塞部材２５は、スロット２２の径方向開口部２２ｂの開口幅Ｗ２より大きい周方向Ｃの幅を有し、ステータコア２の軸方向Ｌの長さ以上の軸方向Ｌの長さを有する。この閉塞部材２５は、各種合成樹脂等、磁気抵抗及び電気抵抗の比較的大きい材質により形成されていると好適である。なお、径方向開口部２２ｂに閉塞部材２５を配置しない構成とすることも、好適な実施形態の１つである。この場合でも、径方向開口部２２ｂに最も近い導体線４が、スロット２２内で径方向開口部２２ｂの開口幅Ｗ２より周方向Ｃに大きくなるように変形して閉塞部材２５の役割を担う。これにより、複数本の導体線４が、径方向開口部２２ｂ側から押圧された状態での形状を保って配置される。
【００６２】
図１に示すように、１つのスロット２２内に収容された複数本の導体線４は、ステータコア２の軸方向Ｌの端部から突出し、周方向Ｃに延びて他のスロット２２内に収容される。図示の例では、ステータコア２は周方向Ｃに分散して４８個のスロット２２を有しており、毎極毎相あたりのスロット数が「２」に設定されている。そして、１つのスロット２２内の導体線４は、当該スロット２２から６スロット離れて配置された他のスロット２２内の導体線４に接続されている。図１では一対のスロット２２間を結ぶ導体線４の部分のみを示しているが、実際には全てのスロット２２について同様に、ステータコア２から軸方向Ｌに突出した導体線４の部分が、スロット２２間を結んで周方向Ｃに延びるように配置される。このようにステータコア２から突出する導体線４の部分が集まってコイルエンド部が形成される。ここで、コイルエンド部は、ステータコア２から軸方向Ｌの外側へ突出したコイル３の部分を指す。このコイルエンド部における導体線４の具体的な配置構成は、重ね巻や波巻等の具体的なコイル３の巻き方によって異なる。なお、本願発明においては、上記のとおり、コイル３の巻き方を自由に選択することが可能である。
【００６３】
４．回転電機の製造方法
次に、本実施形態に係る回転電機１００の製造方法について説明する。図７は、回転電機１００の構成部品としての導体線４の製造工程を順に説明するための図である。また、図８は、導体線４を組み込んで製造されるステータ１の製造工程を順に説明するための図である。なお、図８では、ステータコア２が備える複数のスロット２２の中の１つのみを示しているが、他のスロット２２についても同様の工程が実行される。
【００６４】
まず、図７（ａ）に示すように、所定の太さ（断面積）を有する導体素線４１を所定本数分準備する。導体素線４１の本数は、最終的な導体線４の太さ（断面積）と、各導体素線４１の太さ（断面積）及び形状とに応じて設定される。そして、図７（ｂ）に示すように、これら複数の導体素線４１を、延在直交平面Ｐでの断面形状が全体として真円以外の形状となるように寄せ集めて導体素線束４２とする。導体素線束４２の全体形状は、例えば楕円状、長円状、三角形状、四角形状等とすることができる。すなわち、導体素線束４２を構成する導体素線４１に外接する外接曲線が真円以外の楕円状、長円状、三角形状、四角形状等となるように、導体素線束４２を形成する。図７（ｂ）には、一例として、長円状（レーストラック状）の外接曲線となるように導体素線束４２が形成された例が示されている。
【００６５】
その後、図７（ｃ）に示すように、導体素線束４２に対して、本実施形態において可撓性のシート状筒状材料によって構成された絶縁被覆材４６を、その周囲から被覆する。このとき、導体素線束４２の外形に沿うように、絶縁被覆材４６の断面形状も本例では長円状とされる。このような形状は、真円状態とされた絶縁被覆材４６を当該絶縁被覆材４６の径方向における所定の基準方向Ｓの両側から押圧して変形（ここでは偏平化）させた形状に相当する。そして、このようにして形成される導体線４では、絶縁被覆材４６の内側に上述した被覆内隙間Ｇが実質的に存在せず、全ての導体素線４１と絶縁被覆材４６とが全体として密集した状態（密集状態）となっている。このとき、本実施形態では、この密集状態での絶縁被覆材４６の基準方向Ｓの幅Ｗ１が、スロット２２の径方向開口部２２ｂの開口幅Ｗ２（図２及び図８を参照）に合致するように設計される。
【００６６】
ここでは図示は省略するが、その後、絶縁被覆材４６の断面形状を真円状とすると、密集状態にある導体素線４１が適度にほぐれて絶縁被覆材４６の径方向内側に被覆内隙間Ｇが形成される。これは、導体素線束４２を構成する全ての導体素線４１の断面積の和は一定であるのに対して、絶縁被覆材４６の内部面積は、その周長が一定であれば断面形状が真円の場合に最大となることによる。なお、絶縁被覆材４６の断面形状を一旦真円状とすることは必須ではなく、図７（ｃ）の形状を維持したままで、導体線４をステータ１の製造工程に提供することも可能である。
【００６７】
その後、図８（ａ）に示すように、複数本の導体線４をスロット２２内に挿入する。ここでは、複数本の導体線４を、１本ずつ順に径方向開口部２２ｂから挿入する。これにより、導体線４は、径方向Ｒの内側から外側へ向かって径方向開口部２２ｂを介してスロット２２内へ挿入される。ところで、本実施形態では、延在直交平面Ｐでの導体線４の断面形状を真円状とした状態での外径（真円外径Ｄ４）は、スロット２２の径方向開口部２２ｂの周方向Ｃの開口幅Ｗ２よりも大きい。従って、導体線４を径方向開口部２２ｂからスロット２２内へ挿入する際には、導体線４の断面形状を変形させて当該導体線４の周方向Ｃの幅を開口幅Ｗ２以下とした状態で挿入する。
【００６８】
具体的には、本実施形態では導体線４の径方向における所定の基準方向Ｓの両側から導体線４を押圧し、絶縁被覆材４６及びその内側の導体素線束４２の断面形状を変形（ここでは偏平化）させて長円状とする。この形状は、導体線４の製造工程における最終段階での形状に一致する。そのため、導体線４が図７（ｃ）の形状を維持したままでステータ１の製造工程に提供される場合には、この変形工程は省略可能である。これにより、絶縁被覆材４６の内側に被覆内隙間Ｇが実質的に存在せず（それ以前に存在していた場合には、その被覆内隙間Ｇが解消され）、全ての導体素線４１と絶縁被覆材４６とが全体として密集した密集状態となる。上述したように、本実施形態では、この密集状態での絶縁被覆材４６の基準方向Ｓの幅Ｗ１（図７（ｃ）を参照）が、スロット２２の径方向開口部２２ｂの開口幅Ｗ２に合致するように設計されている。これにより、図８（ａ）に示すように、導体線４に対する押圧方向である基準方向Ｓを径方向開口部２２ｂの幅方向である周方向Ｃに合致させることで、径方向開口部２２ｂに対して導体線４を通過可能とすることができる。よって、セミオープン型のスロット２２であっても、そのスロット２２内に導体線４を適切に挿入可能とすることができる。
【００６９】
この場合において更に、上記のように密集状態での絶縁被覆材４６の基準方向Ｓの幅Ｗ１と径方向開口部２２ｂの開口幅Ｗ２とが合致する場合には、被覆内隙間Ｇの大きさが必要最小限の大きさとなる。よって、導体線４の断面形状を自由に変形可能とするための被覆内隙間Ｇが必要以上に拡大されて占積率が低下することを抑制できる。すなわち、セミオープン型のスロット２２を有するステータコア２を巻き付け対象とする場合における、当該ステータコア２への巻き付け工程の効率化とコイル３の占積率の向上とを考慮して、これら双方をそれぞれバランス良く実現することが可能となっている。
【００７０】
その後、図８（ｂ）に示すように、スロット２２内に全て（本例では６本）の導体線４が挿入されると、それら複数本の導体線４を、スロット２２の径方向開口部２２ｂから押圧する。ここでは、押圧ジグ８を径方向開口部２２ｂから挿入して導体線４を径方向Ｒの外側へ向かって押圧する。これにより、スロット２２内の複数本の導体線４を、当該スロット２２の形状に合わせて変形させ、当該導体線４とスロット２２の内壁面２２ａとの隙間及び複数本の導体線４どうしの隙間を小さくする。そして最後に、図８（ｃ）に示すように、閉塞部材２５をスロット２２の径方向開口部２２ｂに挿入する。ここでは、スロット２２内の複数本の導体線４における最も径方向開口部２２ｂ側（径方向Ｒの内側）の面とティース２３の周方向突出部２３ｂとの間に閉塞部材２５を配置する。例えば、平板状の閉塞部材２５は、スロット２２の軸方向開口部２２ｃから軸方向Ｌに沿って挿入することができる。このように閉塞部材２５を配置することにより、スロット２２内に配置された導体線４が径方向開口部２２ｂから飛び出すことを抑制できる。そして、複数本の導体線４が、径方向開口部２２ｂ側から押圧された状態での形状を保って配置される。以上のようにして各スロット２２の中に配置された複数本の導体線４のそれぞれは、同じスロット２２内の他の導体線４と比べて断面形状が異なるものとなる。
【００７１】
図示は省略するが、その後、ステータ１に対して径方向Ｒの内側にロータ６を回転可能な状態で組み付けることにより、回転電機１００が完成する。
【００７２】
５．その他の実施形態
最後に、本発明に係る導体線及び回転電機の、その他の実施形態について説明する。なお、以下のそれぞれの実施形態で開示される構成は、矛盾が生じない限り、他の実施形態で開示される構成と組み合わせて適用することも可能である。
【００７３】
（１）上記の実施形態では、仮想外接円ＣＣの最小外接円径Ｄ１ｎと絶縁被覆材４６の真円内径Ｄ２との差が、導体素線４１の直径（素線径Ｄ３）以上とされている構成を例として説明した。しかし、本発明の実施形態はこれに限定されない。すなわち、少なくとも絶縁被覆材４６の径方向内側で導体素線４１どうしが相対移動可能であれば、仮想外接円ＣＣの最小外接円径Ｄ１ｎと絶縁被覆材４６の真円内径Ｄ２との差が導体素線４１の素線径Ｄ３未満とされても良い。
【００７４】
（２）上記の実施形態では、導体素線束４２と絶縁被覆材４６とが非接着状態とされた構成を例として説明した。しかし、本発明の実施形態はこれに限定されない。すなわち、導体素線束４２と絶縁被覆材４６とが接着状態とされた構成としても良い。この場合、上記の実施形態とは異なり、被覆内隙間Ｇは、導体素線４１と絶縁被覆材４６との間には形成されず導体素線４１どうしの間にのみ形成される。なお、このような構成は、例えば、絶縁被覆材４６を構成する樹脂材料を溶融させて導体素線束４２の周囲に適量供給しつつ、導体素線束４２を延在方向Ａに移動させることにより実現できる。これにより、絶縁被覆材４６の内面４６ａを、導体素線束４２の周囲の形状に適合した凹凸を有する形状とすることで、導体素線束４２と絶縁被覆材４６とを接着状態とすることができる。この場合であっても、導体素線４１どうしの間に形成される被覆内隙間Ｇの部分において導体素線４１どうしが相対移動可能となり、導体線４の断面形状は容易に変形可能となる。
【００７５】
（３）上記の実施形態では、複数本の導体素線４１を撚って束ねることにより１本の導体素線束４２が構成される例について説明した。しかし、本発明の実施形態はこれに限定されない。すなわち、複数本の導体素線４１を撚ることなく束ねることにより１本の導体素線束４２が構成されても良い。
【００７６】
（４）上記の実施形態では、延在直交平面Ｐでの各導体素線４１の断面形状が円形状である構成を例として説明した。しかし、本発明の実施形態はこれに限定されない。すなわち、延在直交平面Ｐでの各導体素線４１の断面形状を、例えば、四角形状、三角形状、五角形状、六角形状、八角形状等の各種多角形状としても良い。
【００７７】
（５）上記の実施形態では、隣り合う導体線４どうしの接触面が周方向Ｃに延びる状態で、複数本の導体線４の全部が各スロット２２内で径方向Ｒに沿って一列に並ぶように配置されている構成を例として説明した。しかし、本発明の実施形態はこれに限定されない。すなわち、スロット２２内での導体線４の断面形状や配列は、適宜決定することができる。例えば、隣り合う導体線４どうしの接触面が無作為に様々な方向を向く状態で、スロット２２内に複数本の導体線４が配置された構成としても良い。或いは、各スロット２２内に配置される複数本の導体線４が、径方向Ｒに沿った列を周方向Ｃに複数列有するように配置された構成としても良い。
【００７８】
（６）上記の実施形態では、導体線４の真円外径Ｄ４がスロット２２の径方向開口部２２ｂの開口幅Ｗ２よりも大きく設定されている構成を例として説明した。しかし、本発明の実施形態はこれに限定されない。すなわち、導体線４の真円外径Ｄ４がスロット２２の径方向開口部２２ｂの開口幅Ｗ２以下の値に設定された構成としても良い。
【００７９】
（７）上記の実施形態では、セミオープン型のスロット２２及び平行ティースを有するステータコア２を、導体線４による巻き付け対象とする例について説明した。しかし、本発明の実施形態はこれに限定されない。すなわち、スロット形状やティース形状は適宜設定することができる。例えば、オープン型のスロット２２を有するステータコア２を巻き付け対象としても良い。オープン型のスロット２２とは、上記の実施形態で説明した周方向突出部２３ｂを有さず、径方向開口部２２ｂの幅がそれよりスロット奥側の部分と等しいスロット２２である。また、平行スロットを有するステータコア２を巻き付け対象としても良い。平行スロットとは、周方向Ｃに対向する２つの内壁面２２ａが互いに平行となるように形成されたスロット２２である。また、上記の実施形態で説明したものと類似のスロットを有するロータコアを、導体線４による巻き付け対象とすることも可能である。
【００８０】
（８）上記の実施形態では、本発明に係る導体線を、インナーロータ型の回転電機１００のコイル３に適用した例について説明した。しかし、本発明の適用対象はこれに限定されない。すなわち、ステータ１に対して径方向Ｒの外側にロータ６が配置されるアウターロータ型の回転電機１００のコイル３を適用対象としても良い。或いは、ラジアルギャップ型の回転電機１００に限らず、アキシャルギャップ型の回転電機１００のコイル３を適用対象とすることも可能である。
【００８１】
（９）その他の構成に関しても、本明細書において開示された実施形態は全ての点で例示であって、本発明の実施形態はこれに限定されない。すなわち、本願の特許請求の範囲に記載されていない構成に関しては、本発明の目的を逸脱しない範囲内で適宜改変することが可能である。
【産業上の利用可能性】
【００８２】
本発明は、回転電機のコイル用の導体線及び当該導体線を備えた回転電機に好適に利用することができる。
【符号の説明】
【００８３】
１００：回転電機
２：ステータコア
３：コイル
４：導体線
２２：スロット
２２ｂ：径方向開口部（スロット開口部）
２３：ティース
４１：導体素線
４２：導体素線束
４６：絶縁被覆材
Ａ：延在方向
Ｐ：延在直交平面
Ｇ：被覆内隙間
Ｗ１：基準方向の幅
Ｗ２：開口幅
ＣＣ：仮想外接円
Ｄ１ｎ：最小外接円径
Ｄ２：真円内径
Ｄ３：素線径
Ｅ：外接長円（長円）
【図１】
0005664927.tif 000002
【図２】
0005664927.tif 000003
【図３】
0005664927.tif 000004
【図４】
0005664927.tif 000005
【図５】
0005664927.tif 000006
【図６】
0005664927.tif 000007
【図７】
0005664927.tif 000008
【図８】
0005664927.tif 000009